(57)【要約】【課題】  組み立て可能な構造を有し、非使用時には携帯に便利で、使用時には堅牢さを備えたカップホルダーを提供する。【解決手段】  カップ６の外径とほぼ同じ内径を備えた少なくとも２枚の支持環１ａ、１ｂと、ほぼ四辺形の板の内部を打ち抜いた形状の把持部材２を組み合わせることでカップホルダーを構成する。支持環１ａ、１ｂには、内周と外周のほぼ中間の位置から内周側に開放され、幅が支持部材２の厚さと同じである第一のスリットが形成され、把持部材２の内側には、幅が支持環の厚さとほぼ同じである第二のスリットが少なくとも２箇所形成され、第一のスリットと第二のスリットを突き合わせることにより、支持環１ａ、１ｂと把持部材２を組み立てることが可能であり、把持部材２には支持環１ａ、１ｂを内側に挿通するためのスリット３を設ける。【選択図】図１
2015071020.tif 000002
【特許請求の範囲】
【請求項１】
板状の部材を円環に形成してなる少なくとも２枚の支持環と、板状の把持部材とを組み合わせてなるカップホルダーであって、前記支持環のそれぞれは、内周の径が異なり、内周と外周のほぼ中間の位置から内周側に開放され、幅が前記把持部材の厚さとほぼ同じである第一のスリットを有し、前記把持部材は、少なくとも２箇所に、一方の辺に開放され、幅が前記支持環の厚さとほぼ同じである第二のスリットを有し、前記第一のスリットと前記第二スリットとを係合させることにより、組み立てが可能であることを特徴とするカップホルダー。
【請求項２】
前記把持部材は、ほぼ四辺形の板の内部を打ち抜いた形状で、内側に設けられてなる少なくとも２箇所の前記第二のスリットと、前記支持環を内側に挿通するためのスリットを有することを特徴とする、請求項２に記載のカップホルダー。
【請求項３】
前記把持部材は、それぞれに少なくとも２箇所の前記第二のスリットが設けられてなる二つの個片を、線対称に配した形状を有し、前記支持環には、前記把持部材を対称軸で一定の角度に折り曲げた際に、前記第二のスリットが係合可能な位置に、２箇所の前記第一のスリットが設けられてなることを特徴とする、請求項１または請求項２に記載のカップホルダー。
【請求項４】
カップの開口部の外側に張り出して設けられた補強縁が、嵌合する凹部が設けられてなることを特徴とする請求項１ないし請求項３のいずれかに記載のカップホルダー。
【発明の詳細な説明】
【技術分野】
【０００１】  本発明は、把手を備えていない紙コップなどの容器を取り付けて、ジョッキやマグのように使用することが可能で、しかも非使用時は、平板形状として、携帯に適するようにコンパクト化が可能であるカップホルダーに関するものである。
【背景技術】
【０００２】  スポーツ観戦や行楽などで、屋外で飲食する場合には、紙またプラスチックフィルム製の使い捨ての食器やカップを用いることが多い。このような紙コップを手で持つことを考慮して、例えば特許文献１には、紙コップに取り付ける、紙製の把手が開示されている。しかし、このような把手は、機械的な強度の確保が不十分であるという課題がある。【０００３】  一方で、例えば特許文献２や特許文献３には、プラスチックの成形品や金属からなる、カップホルダーや持ち手金具が開示されている。しかし、これらは、堅牢な反面、折り畳んだり、分解したりすることが不可能なので、携帯に不便であるなどの課題がある。
【先行技術文献】
【特許文献】
【０００４】
【特許文献１】  特開２００２−１５４５８６号公報
【特許文献２】  特開２００３−１１６７００号公報
【特許文献３】  実開昭５８−１２１２８６号公報
【発明の概要】
【発明が解決しようとする課題】
【０００５】  本発明の課題は、かかる課題に鑑み、非使用時には携帯に便利で、使用時には堅牢さを備えたカップホルダーを提供することにある。
【課題を解決するための手段】
【０００６】  本発明は、前記課題解決のため、板状の部材の形状と、係合手段を検討し、組み立てや分解が容易な、カップホルダーの構造に想到した結果、なされたものである。【０００７】  即ち、本発明は、板状の部材を円環に形成してなる少なくとも２枚の支持環と、板状の把持部材とを組み合わせてなるカップホルダーであって、前記支持環のそれぞれは、内周の径が異なり、内周と外周のほぼ中間の位置から内周側に開放され、幅が前記把持部材の厚さとほぼ同じである第一のスリットを有し、前記把持部材は、一方の辺に開放され、幅が前記支持環の厚さとほぼ同じである第二のスリットを少なくとも２箇所有し、前記第一のスリットと前記第二スリットとを係合させることにより、組み立てが可能であることを特徴とするカップホルダーである。【０００８】  また、本発明は、前記把持部材が、ほぼ四辺形の板の内部を打ち抜いた形状で、内側に設けられてなる少なくとも２箇所の前記第二のスリットと、前記支持環を内側に挿通するためのスリットを有することを特徴とする、前記のカップホルダーである。【０００９】  また、本発明は、前記把持部材が、それぞれに少なくとも２箇所の前記第二のスリットが設けられてなる二つの個片を、線対称に配した形状を有し、前記支持環のそれぞれには、前記把持部材を対称軸で一定の角度に折り曲げた際に、前記第二のスリットが係合可能な位置に、２箇所の前記第一のスリットが設けられてなることを特徴とする、前記のカップホルダーである。【００１０】  また、本発明は、カップの開口部の外側に張り出して設けられた補強縁が、嵌合する凹部が設けられてなることを特徴とする、前記のカップホルダーである。
【発明の効果】
【００１１】  本発明に係るカップホルダーは、板状の部材に設けられた係合手段、つまりスリットを突き合わせて押し込むだけ組み立てることができ、突き合わせたスリット部分を引き離すだけで分解することができる。つまり、非使用時はそれぞれの板状部材は、所要形状に構成された平板となり、携帯や搬送の際には、重ねることによりコンパクトにすることが可能である。【００１２】  また、形状的な特徴から、本発明に係るカップホルダーは、プラスチック材料の成形品で得ることも可能であるが、段ボールや金属板に打ち抜き加工を施すことでも得られる。従って、形状の自由度が高く、カップのサイズに合わせて寸法を調製することが比較的容易である。また、段ボールや厚紙で作製する際には、１枚の材料を折り曲げて把持部材を構成することで強度を確保することも可能である。【００１３】  また、紙コップにおいては、補強のために開口部の周縁に、外側に張り出した状態で補強縁を設けることがあるが、本発明に係るカップホルダーにおいては、把持部材の一部に、この補強縁が嵌合するように凹部を設け、カップホルダー内でのカップの安定を向上することも可能である。
【図面の簡単な説明】
【００１４】
【図１】  本発明に係るカップホルダーの一例に紙コップを搭載した状態を示す斜視図。
【図２】  本発明に係るカップホルダーの一例を分解した個片を示す図、図２（ａ）は第一の支持環、図２（ｂ）は第二の支持環、図２（ｃ）は把持部材。
【図３】  折り曲げた際に、本発明に係るカップホルダーの把持部材となるように線対称に形成した段ボールや厚紙の一例を示す斜視図。
【図４】  本発明に係るカップホルダーの、折り曲げで得られる把持部材を用いる場合の、個片の一例を示す図、図４（ａ）は第一の支持環、図４（ｂ）は第二の支持環、図４（ｃ）は把持部材の展開図。
【図５】  本発明に係るカップホルダーを分解して携行する際の状態の一例を示す図。
【図６】  カップの底部に支持部材を付加した例を示す図、図６（ａ）は正面図、図６（ｂ）は底面図。
【発明を実施するための形態】
【００１５】  次に本発明の実施の形態について、具体的な図に基づいて説明する。
【００１６】  図１は、本発明に係るカップホルダーの一例に、紙コップを搭載した状態を示す斜視図である。また、図２は、本発明に係るカップホルダーの一例を分解した個片を示す図で、図２（ａ）は第一の支持環、図２（ｂ）は第二の支持環、図２（ｃ）は把持部材である。
【００１７】  図１及び図２において、１ａは第一の支持環、１ｂは第二の支持環、２は把持部材、３は支持環挿通用スリット、４は貫通孔、５は補強縁嵌合用の凹部、６は紙コップ、７は補強縁、８ａは把持部材係合用の第一のスリット、８ｂは把持部材係合用の第二のスリット、９ａは支持環係合用の第一のスリット、９ｂは支持環係合用の第二のスリットである。
【００１８】  これらの図に示したように、本発明のカップホルダーは、把持部材係合用のスリット８ａ、８ｂが設けられた支持環１ａ、１ｂを、把持部材２の支持環挿通用スリット３から、内部を打ち抜いた部分に挿入して、支持環１ａ、１ｂのスリット８ａ、８ｂを、把持部材２のスリット９ａ、９ｂに係合することにより構成される。
【００１９】  通常の紙コップは、底部よりも開口部の方の径が大きい円錐台の上下を逆にした形状なので、図１に示したように、内径が大きい第一の支持環１ａを図における上の方に係合し、内径が小さい第二の支持環１ｂを図における下の方に係合する。そして、把持部材２の紙コップ６側に、補強縁嵌合用の凹部５を設けることで、紙コップ６を搭載した際に、その安定性が向上するのは、前記の通りである。また、紙コップの開口部と底部の径が同じである場合は、二つの支持環の内径を同じにすることでも対応できる。
【００２０】  本発明に係るカップホルダーは、場合によっては、使い捨てが可能なように、段ボールや厚紙で構成することも可能であるが、その際は、必要な機械的強度確保のために、把持部材として、一つの板状の部材を、適当な角度で折り曲げたものを使用するのが望ましい。図３はこのような例であり、折り曲げた際に、本発明に係るカップホルダーの把持部材となるように、段ボールや厚紙を線対称に形成した一例を示す斜視図である。また、図４は、図３に示した、折り曲げで得られる把持部材を用いる場合の、カップホルダーを構成する個片の一例を示す図で、図４（ａ）は第一の支持環、図４（ｂ）は第二の支持環、図４（ｃ）は把持部材の展開図である。
【００２１】図３及び図４において、１０は把持部材、１１ａ及び１１ｂは支持環挿通用スリット、１２ａ及び１２ｂは支持環係合用の第一のスリット、１３ａ及び１３ｂは支持環係合用の第二のスリット、１４ａ及び１４ｂは補強縁嵌合用の凹部、１５は第一の支持環、１６ａ及び１６ｂは把持部材係合用の第一のスリット、１７は第二の支持環、１８ａ及び１８ｂは把持部材係合用の第二のスリットである、
【００２２】  図３と図４に示したように、この例に用いる支持環には、把持部材係合用スリットが、それぞれ２箇所ずつ設けられ、把持部材が備えている４箇所の支持環係合用のスリットに係合することで、カップホルダーを形成する。
【００２３】  図５は、本発明に係るカップホルダーを分解して携行する際の状態の一例を示す図である。ここでは、把持部材１９の貫通孔４と、第一の支持環２０と、第二の支持環２１の内周に、カラビナ２２を挿通して、ベルトなどに吊り下げることが可能な状態にしている。このような状態で、行楽などの際に携行すれば、必要なときに直ちにカップホルダーを組み立てて用いることができる。
【００２４】  図６は、本発明に係るカップホルダーで、カップの径が小さい場合でもある程度対応可能なように、カップの底部に持部材を付加した例を示す図で、図６（ａ）は正面図、図６（ｂ）は底面図である。図６において、２３ａは第一の支持環、２３ｂは第二の支持環、２４ａは把持部材、２４ｂは支持部材、２５はカップである。図６に示した例においては、カップ２５の径が、支持環２３ａ及び２３ｂよりも小さい場合でも、支持部材２４ｂが、カップ２５の底部を支えるので、カップ２５が落下することがない。ただし、カップ２５と支持環２３ａ及び２３ｂとの間には空隙があるので、取り扱いには注意が必要である。
【００２５】  以上に説明したように、本発明によれば、携行に便利なカップホルダーを提供することができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２６】１ａ，１５，２０，２３ａ・・・第一の支持環
１ｂ，１７，２１，２３ｂ・・・第二の支持環  ２，１０，１９，２４ａ・・・把持部材
３，１１ａ，１１ｂ・・・支持環挿通用スリット  ４・・・貫通孔
５，１４ａ，１４ｂ・・・補強縁嵌合用の凹部  ６・・・紙コップ  ７・・・補強縁
８ａ，１６ａ，１６ｂ・・・把持部材係合用の第一のスリット
８ｂ，１８ａ，１８ｂ・・・把持部材係合用の第二のスリット
９ａ，１２ａ，１２ｂ・・・支持環係合用の第一のスリット
９ｂ，１３ａ，１３ｂ・・・支持環係合用の第二のスリット
２２・・・カラビナ  ２４ｂ・・・支持部材  ２５・・・カップ
【図１】
2015071020.tif 000003
【図２】
2015071020.tif 000004
【図３】
2015071020.tif 000005
【図４】
2015071020.tif 000006
【図５】
2015071020.tif 000007
【図６】
2015071020.tif 000008